(57)【要約】【課題】出血や痛み、傷口の縫合、抗炎症薬の必要が発生することなく、且つ包皮切除と術後の回復とにおいて、陰茎勃起の発生を防止することができ、包皮切除の厚さがコントロールしやすい陰茎包皮環状切除用装置を提供する。【解決手段】管状外側リングが互いに一体化して接続され、ブロックリング（３１）が端部にそれぞれ配設されたＡ外側リング（２９−１）とＢ外側リング（２９−２）とからなり、管状内側リング（２８）の一端において、包皮固定用ベルト（３５）を下端に取り付けた凸部（３４）が外側に配設された包皮環状切除端（３３）が配設され、管状内側リング（２８）の他端がＢ外側リング（２９−２）の端部に配設されたブロックリングの内側に相応して、軸方向に管状内側リング（２８）を圧着し接続することに用いられている。【選択図】図１３
2014176723.tif 000002
【特許請求の範囲】
【請求項１】
切除及びクランプするための外側リング（４４）と、包皮収容のために用いられた内側リング（４５）とを備える陰茎包皮環状切除用装置であって、
前記内側リング（４５）の外表面において凹溝（４６）を、前記外側リング（４４）の内側において刃物（７２）を設置し、
前記刃物（７２）が前記凹溝（４６）に協力して、包皮を押圧する及び／又は切除するために用いられ、
前記外側リング（４４）が二つの半円スナップリング、又は一体化の柔軟性スナップリング（７７）であり、前記二つの半円スナップリング及び一体化の柔軟性スナップリング（７７）がスナップを有して、前記スナップの両端に互いに対応する上半部刃（７２Ａ）結合部と下半部刃（７２Ｂ）結合部とを設置し、前記上半部刃（７２Ａ）と下半部刃（７２Ｂ）とが１層刃又は２層刃（７８）であり、前記２層刃（７８）において鋸歯を設置することを特徴とする陰茎包皮環状切除用装置。
【請求項２】
切除及びクランプするための外側リング（４４）と、包皮収容のために用いられた内側リング（４５）とを備える陰茎包皮環状切除用装置であって、
前記内側リング（４５）の外表面において凹溝（４６）を、前記外側リング（４４）の内側において刃物（７２）を設置し、前記刃物（７２）が前記凹溝（４６）と協力して、包皮を押圧する及び／又は切除するために用いられて、前記刃物（７２）においていくつか凸点（４８）を設置することを特徴とする陰茎包皮環状切除用装置。
【請求項３】
前記内側リング（４５）が一体リング、二つの半円リング、又は二つ以上のアーチ形断片からなることを特徴とする請求項２に記載の陰茎包皮環状切除用装置。
【請求項４】
前記凹溝（４６）の表面において、弾性ガスケット（４７）を取り付けることを特徴とする請求項３に記載の陰茎包皮環状切除用装置。
【請求項５】
前記外側リング（４４）の側壁部において、前記外側リング（４４）と内側リング（４５）との間における腔と接続されて、薬を注入するための通路（５２）を少なくとも一つ設置することを特徴とする請求項４に記載の陰茎包皮環状切除用装置。
【請求項６】
前記外側リング（４４）が二つの半円スナップリング、又は一体化の柔軟性スナップリング（７７）であることを特徴とする請求項５に記載の陰茎包皮環状切除用装置。
【請求項７】
前記外側リング（４４）が二つの半円スナップリングからなり、前記二つの半円スナップリングにおけるスナップのいずれかは、両端を接続バックル（５３）によって接続することを特徴とする請求項６に記載の陰茎包皮環状切除用装置。
【請求項８】
前記スナップの両端に互いに対応する上半部刃（７２Ａ）結合部と下半部刃（７２Ｂ）結合部とを設置して、前記上半部刃（７２Ａ）結合部と下半部刃（７２Ｂ）結合部との周縁に丸い角を設置し、前記上半部刃（７２Ａ）と下半部刃（７２Ｂ）とが１層刃又は２層刃（７８）であることを特徴とする請求項６に記載の陰茎包皮環状切除用装置。
【請求項９】
前記２層刃（７８）の間において、前記２層刃（７８）に垂直にいくつかの刃物（７９）を設置して、前記１層又は２層刃に抗炎症剤コーティングを塗布していることを特徴とする請求項８に記載の陰茎包皮環状切除用装置。
【請求項１０】
前記スナップの一端において、接続緊度のデータを示すために用いられた目盛り定規（８３）又はデジタル定規（８４）を配設し、前記スナップの他端において、接続のきつすぎ及び／又は傷口癒合の状況を提示するためのアラーム（８５）を配設していることを特徴とする請求項７に記載の陰茎包皮環状切除用装置。
【請求項１１】
前記スナップの一端のいずれかにおいて、ロック解除用柄（８０）とロック解除用孔（８１）とを設置していることを特徴とする請求項１０に記載の陰茎包皮環状切除用装置。
【請求項１２】
上半部刃（７２Ａ）結合部の設置された前記スナップの一端に第１梯形係合バックル（７３）と、下半部刃（７２Ｂ）結合部の設置された前記スナップの一端に第１梯形係合バックル（７３）と互いに相応する第２梯形係合バックル（７４）とを配設しており、前記第１梯形係合バックル（７３）と前記第２梯形係合バックル（７４）とが１層又は２層（７８）であり、
前記第１梯形係合バックル（７３）が上半部刃（７２Ａ）結合部の下表面に位置されて、前記第２梯形係合バックル（７４）が下半部刃（７２Ｂ）結合部の上表面に位置されることを特徴とする請求項１０に記載の陰茎包皮環状切除用装置。
【請求項１３】
前記上半部刃（７２Ａ）結合部及び下半部刃（７２Ｂ）結合部が、ねじ（８２）によって係り合せて固定することを特徴とする請求項１０に記載の陰茎包皮環状切除用装置。
【請求項１４】
前記上半部刃（７２Ａ）結合部及び下半部刃（７２Ｂ）結合部において、互いに相応するＬ形部（５５）をそれぞれ設置し、前記Ｌ形部（５５）ごとに、上部に接続ロッド（５６）を、底部台に接続孔（５７）を設置し、前記接続ロッド（５６）と他方のＬ形部（５５）の接続孔（５７）とを噛み合わせて、前記Ｌ形部（５５）ごとに、直立部の内側に鋸歯状凸部（５８）又は鋸歯状凹部（５９）を設置し、前記鋸歯状凸部（５８）又は鋸歯状凹部（５９）が他方の鋸歯状凹部（５９）又は鋸歯状凸部（５８）と互いに相応していることを特徴とする請求項１１に記載の陰茎包皮環状切除用装置。
【請求項１５】
前記上半部刃（７２Ａ）結合部及び下半部刃（７２Ｂ）結合部において、フック状凸部（６１）又は溝孔（６２）をそれぞれ設置して、一方の結合部における前記フック状凸部（６１）又は溝孔（６２）が他方の結合部における溝孔（６２）又はフック状凸部（６１）と互いに相応して、フック状凸部（６１）ごとに、接続板（６３）と逆Ｖ形構造の係合片（６４）からなり、前記接続板の一端が前記係合片（６４）の中央部に接続することを特徴とする請求項１１に記載の陰茎包皮環状切除用装置。
【請求項１６】
前記上半部刃（７２Ａ）結合部及び下半部刃（７２Ｂ）結合部において、蝶ネクタイ状かたまり（６７）が収容された凹溝（６６）をそれぞれ設置していることを特徴とする請求項１１に記載の陰茎包皮環状切除用装置。
【請求項１７】
前記上半部刃（７２Ａ）結合部及び下半部刃（７２Ｂ）結合部において、条形鋸歯体（６９）又は条形鋸歯孔（７０）をそれぞれ設置して、一方の結合部における前記条形鋸歯体（６９）又は条形鋸歯孔（７０）が他方の結合部における条形鋸歯孔（７０）又は条形鋸歯体（６９）と互いに相応していることを特徴とする請求項１１に記載の陰茎包皮環状切除用装置。
【請求項１８】
前記外側リング（４４）と内側リング（４５）との表面において、つや消しパターンを設置していることを特徴とする請求項２に記載の陰茎包皮環状切除用装置。
【発明の詳細な説明】
【技術分野】
【０００１】
本発明は医学装置に関し、特に男性陰茎の冗長包皮切除用装置に関する。
【背景技術】
【０００２】
冗長包皮又は包茎は、男性の泌尿系統疾病及び性病の起因の一つである。冗長包皮又は包茎は、尿路感染を起こし、さらに慢性前立腺炎をもたらし、腰痛、インポテンス、早漏などの一連の症状を引き起こすことがある。したがって、冗長包皮又は包茎の切除は、これらの疾病を予防するための措置の一つである。
【０００３】
冗長包皮又は包茎の切除に関しては、従来から今日まで改良が何回か行われている。一つは手術治療である。但し、手術をすると出血や痛みが必然的に伴って、さらに傷口を縫合し、手術後に抗炎症薬を飲み又は点滴注射し、毎日薬を取り換え、縫合後に抜糸する必要があり、行動も不便である。そのため、入院して手術を受けるのは通常で、治療全体にかかる費用がより高い。もう一つはレーザー治療であって、レーザーが臨床に用いられてから、包皮環状切除術における止血という難しい問題が解決された。但し、皮膚の火傷で水腫を引き起こし、腸線で縫合する時間が長く、大量な抗炎症剤で治療する必要があり、手術後の傷跡が残り、並びに出費も高い。
【先行技術文献】
【特許文献】
【０００４】
【特許文献１】中国特許出願公開第１６２６０４６号明細書
【発明の概要】
【発明が解決しようとする課題】
【０００５】
本出願人が中国にて出願した特許文献１である「ベアリングを備えた包皮の管状的な環状切除用装置」の特許に、該特許技術が冗長包皮の切除手術において、出血や傷口の縫合、抗炎症薬の必要、及び高い出費などの問題を解決していることが開示されている。但し、前記管状的な環状切除用装置が全体スリーブ構造で、それにスリーブ内に取り付けられている環状ナイフの刃も鋭いため、包皮切除の過程で痛みを強く感じさせる。さらに、包皮の切除後、該管状的な環状切除用装置をそのまま陰茎に一定時間放置する必要があり、前記環状切除用装置は一体化的な構造であるため患者が一定の重量を感じる。また、包皮切除と術後回復との過程において、患者の陰茎が勃起・充血すると、包皮の切除と術後の回復とに直接に影響する。また、前記環状切除用装置はスリーブ又は阻止用リングの一端に取り付けられているばねによって包皮切除の厚さを調節しているが、このような包皮切除の厚さのコントロール方式は不正確で、コントロールしにくい。
【０００６】
本発明は、冗長包皮の切除手術において、出血や痛み、傷口の縫合、抗炎症薬の必要が発生することなく、且つ包皮切除と術後の回復とにおいて、陰茎勃起の発生を防止することができ、包皮切除の厚さがコントロールしやすく、並びに、活動・昇降可能な切除用ナイフを備えた陰茎包皮環状切除用装置を提供することを目的とする。
【課題を解決するための手段】
【０００７】
本発明は、上記課題を解決するために陰茎包皮環状切除用装置を提供する。
本発明の陰茎包皮環状切除用装置は、切除及びクランプするための外側リングと、包皮収容のために用いられた内側リングとを備える陰茎包皮環状切除用装置であって、前記内側リングの外表面において凹溝を、前記外側リングの内側において刃物を設置し、前記刃物が前記凹溝に協力して、包皮を押圧する及び／又は切除するために用いられ、前記外側リングが二つの半円スナップリング、又は一体化の柔軟性スナップリングであり、前記二つの半円スナップリング及び一体化の柔軟性スナップリングがスナップを有して、前記スナップの両端に互いに対応する上半部刃結合部と下半部刃結合部とを設置し、前記上半部刃と下半部刃とが１層刃又は２層刃であり前記２層刃において鋸歯を設置することを特徴とする陰茎包皮環状切除用装置である。
【０００８】
切除及びクランプするための外側リングと、包皮収容のために用いられた内側リングとを備える陰茎包皮環状切除用装置であって、前記内側リングの外表面において凹溝を、前記外側リングの内側において刃物を設置し、前記刃物が前記凹溝と協力して、包皮を押圧する及び／又は切除するために用いられて、前記刃物においていくつか凸点を設置することを特徴とする陰茎包皮環状切除用装置である。
【０００９】
前記内側リングが一体リング、二つの半円リング、又は二つ以上のアーチ形断片からなることを特徴とする前記陰茎包皮環状切除用装置である。
【００１０】
前記凹溝の表面において、弾性ガスケットを取り付けることを特徴とする前記陰茎包皮環状切除用装置である。
【００１１】
前記外側リングの側壁部において、前記外側リングと内側リングとの間における腔と接続されて、薬を注入するための通路を少なくとも一つ設置することを特徴とする前記陰茎包皮環状切除用装置である。
【００１２】
前記外側リングが二つの半円スナップリング、又は一体化の柔軟性スナップリングであることを特徴とする前記陰茎包皮環状切除用装置である。
【００１３】
前記外側リングが二つの半円スナップリングからなり、前記二つの半円スナップリングにおけるスナップのいずれかは、両端を接続バックルによって接続することを特徴とする前記陰茎包皮環状切除用装置である。
【００１４】
前記スナップの両端に互いに対応する上半部刃結合部と下半部刃結合部とを設置して、前記上半部刃結合部と下半部刃結合部との周縁に丸い角を設置し、前記上半部刃と下半部刃とが１層刃又は２層刃であることを特徴とする前記陰茎包皮環状切除用装置である。
【００１５】
前記２層刃の間において、前記２層刃に垂直にいくつかの刃物を設置して、前記１層又は２層刃に抗炎症剤コーティングを塗布していることを特徴とする前記陰茎包皮環状切除用装置である。
【００１６】
前記スナップの一端において、接続緊度のデータを示すために用いられた目盛り定規又はデジタル定規を配設し、前記スナップの他端において、接続のきつすぎ及び／又は傷口癒合の状況を提示するためのアラームを配設していることを特徴とする前記陰茎包皮環状切除用装置である。
【００１７】
前記スナップの一端のいずれかにおいて、ロック解除用柄とロック解除用孔とを設置していることを特徴とする前記陰茎包皮環状切除用装置である。
【００１８】
上半部刃結合部の設置された前記スナップの一端に第１梯形係合バックルと、下半部刃結合部の設置された前記スナップの一端に第１梯形係合バックルと互いに協力する第２梯形係合バックルとを配設しており、前記第１梯形係合バックルと前記第２梯形係合バックルとが１層又は２層であり、前記第１梯形係合バックルが上半部刃結合部の下表面に位置されて、前記第２梯形係合バックルが下半部刃結合部の上表面に位置されることを特徴とする前記陰茎包皮環状切除用装置である。
【００１９】
前記上半部刃結合部及び下半部刃結合部が、ねじによって係り合せて固定することを特徴とする前記陰茎包皮環状切除用装置である。
【００２０】
前記上半部刃結合部及び下半部刃結合部において、互いに相応するＬ形部をそれぞれ設置し、前記Ｌ形部ごとに、上部に接続ロッドを、底部台に接続孔を設置し、前記接続ロッドと他方のＬ形部の接続孔とを噛み合わせて、前記Ｌ形部ごとに、直立部の内側に鋸歯状凸部又は鋸歯状凹部を設置し、前記鋸歯状凸部又は鋸歯状凹部が他方の鋸歯状凹部又は鋸歯状凸部と互いに相応していることを特徴とする前記陰茎包皮環状切除用装置である。
【００２１】
前記上半部刃結合部及び下半部刃結合部において、フック状凸部又は溝孔をそれぞれ設置して、一方の結合部における前記フック状凸部又は溝孔が他方の結合部における溝孔又はフック状凸部と互いに相応して、フック状凸部ごとに、接続板と逆Ｖ形構造の係合片からなり、前記接続板の一端が前記係合片の中央部に接続することを特徴とする前記陰茎包皮環状切除用装置である。
【００２２】
前記上半部刃結合部及び下半部刃結合部において、蝶ネクタイ状かたまりが収容された凹溝をそれぞれ設置していることを特徴とする前記陰茎包皮環状切除用装置である。
【００２３】
前記上半部刃結合部及び下半部刃結合部において、条形鋸歯体又は条形鋸歯孔をそれぞれ設置して、一方の結合部における前記条形鋸歯体又は条形鋸歯孔が他方の結合部における条形鋸歯孔又は条形鋸歯体と互いに相応していることを特徴とする前記陰茎包皮環状切除用装置である。
【００２４】
前記外側リングと内側リングとの表面において、つや消しパターンを設置していることを特徴とする前記陰茎包皮環状切除用装置である。
【００２５】
本発明の陰茎包皮環状切除用装置によれば、冗長包皮や包茎の治療において、痛みや手術、出血がなく、傷口縫合や抗炎症薬が不要で、患者に恐怖感を持たせない。特に、断面がＭ形となる歯を使用して包皮をきつく押圧する場合は、断面がＭ形である歯のＭ形凹溝に鎮痛剤を投入することもでき、手術がわずか何分間だけで完了する。手術完了した直後に帰ることができ、仕事や勉強に影響せずに、十日間だけで回復して傷跡を残さないことができ、切除傷面の皮膚がつるつるであるため、患者に歓迎されている。
本発明の陰茎包皮環状切除用装置によれば、内側切削リング及び外側切削リングが上部及び下部のみにケーシングパイプを設置し、中央部に接続板と接続ロッドとを設置するため、本発明の陰茎包皮環状切除用装置の全体の重量を減少することができる。さらに、内側切削リングの上部ケーシングパイプにおける上端表面をパターン状に設計するため、従来のリング状端表面と比較すると患者の痛みを大きく軽減することができる。内側リングの接続板の内に陰茎勃起防止用抗勃起板を加えて、夜に陰茎勃起による痛みを効果的に防止できる。外側切削リングの接続ロッドの外側に目盛り定規を配設するため、包皮の厚さにより外側切削リングと接続リングとの圧着力を調整し、及び昇降可能な管状切削用ナイフを外側切削リングと接続リングとの間に取り付ける場合に切除の厚さを調整することが有利である。さらに、内側切削リングの上部ケーシングパイプ及び下部ケーシングパイプをスプライス式リングとして各々設計するため、異なる患者の状態に応じて、内側切削リングの内径を調整することができる。さらに、昇降可能な管状切削用ナイフが活動可能な切削用ナイフであるため、使用する場合に切削用ナイフを上昇させて切除を行い、使用しない場合に切削用ナイフを戻すことができ、即ち、滑らかで便利な構造である。さらに、本発明の陰茎包皮環状切除用装置は使い捨ての製品であるため、病気の伝染を避けることができる。本発明の陰茎包皮環状切除用装置は精巧な構造や軽い重量、使用便利、低いコストなどの長所を有するため、普通の病院で広く使われるのに適応する。
【図面の簡単な説明】
【００２６】
【図１】本発明の陰茎包皮環状切除用装置に関する立体構造を示す図である。
【図２】本発明の陰茎包皮環状切除用装置に関する立体構造を示す図である。
【図３】本発明の陰茎包皮環状切除用装置における取り外し可能な管状切削用ナイフの鋭角刃を示す立体図である。
【図４】本発明の陰茎包皮環状切除用装置における取り外し可能な管状切削用ナイフの鋸歯状刃を示す立体図である。
【図５】本発明におけるゴムのガスケットを取り付けた陰茎包皮環状切除用装置を示す断面図である。
【図６】本発明におけるゴムのガスケットを取り付けない陰茎包皮環状切除用装置を示す断面図である。
【図６Ａ】本発明における上部環状ブロック片に設置された凸点の投影図である。
【図７】本発明におけるゴムのガスケットを取り付けて、取り外し可能な管状切削用ナイフを取り付けない陰茎包皮環状切除用装置を示す断面図である。
【図８】本発明の陰茎包皮環状切除用装置における内側切削リングの上部ケーシングパイプにおいて、断面がＶ形である歯の上端表面を示す断面図である。
【図９】本発明の陰茎包皮環状切除用装置における内側切削リングの上部ケーシングパイプにおいて、断面がＭ形となる歯の上端表面を示す断面図である。
【図１０】本発明の陰茎包皮環状切除用装置における接続リングの底面の断面図である。
【図１１】本発明の陰茎包皮環状切除用装置において、内側切削リングである取り外し可能なケーシングパイプのスプライスを示す図である。
【図１２】本発明の陰茎包皮環状切除用装置における内側切削リングの上部ケーシングパイプのパターン端表面の上面図である。
【図１３】本発明の陰茎包皮環状切除用装置に関する組み立て構造の断面図である。
【図１４】本発明の陰茎包皮環状切除用装置に関する組み立て構造を示す図である。
【図１５】本発明の陰茎包皮環状切除用装置における内側リングの断面図である。
【図１６】本発明の陰茎包皮環状切除用装置における内側リングの上面図である。
【図１７】本発明の陰茎包皮環状切除用装置におけるＡ外側リングの立体構造を示す図である。
【図１８】本発明の陰茎包皮環状切除用装置におけるＢ外側リングの立体構造を示す図である。
【図１９】本発明の陰茎包皮環状切除用装置におけるＡ外側リングの係合バックルの一部分の構造を示す図である。
【図２０】本発明の陰茎包皮環状切除用装置におけるＢ外側リングの係合バックルの一部分の構造を示す図である。
【図２１】本発明の陰茎包皮環状切除用装置に関する組み立て構造を示す図である。
【図２２−１】本発明の実施例において、陰茎包皮環状切除用装置における二つの半円内側リングの構造を示す図である。
【図２２−２】本発明の実施例において、陰茎包皮環状切除用装置における一体化の内側リングの構造を示す図である。
【図２３】本発明の実施例において、陰茎包皮環状切除用装置における外側リングの構造を示す図である。
【図２４】本発明の実施例において、陰茎包皮環状切除用装置における外側リングのＫ−Ｋ断面の構造を示す図である。
【図２５】本発明の実施例において、陰茎包皮環状切除用装置における内側リングのＬ−Ｌ断面の構造を示す図である。
【図２６Ａ】本発明の実施例において、陰茎包皮環状切除用装置における外側リングのＡ部分の第一種の構造を拡大的に示す図である。
【図２６Ｂ】本発明の実施例において、陰茎包皮環状切除用装置における外側リングのＡ部分の第二種の構造を拡大的に示す図である。
【図２６Ｃ】本発明の実施例において、陰茎包皮環状切除用装置における外側リングのＡ部分の第三種の構造を拡大的に示す図である。
【図２６Ｄ】本発明の実施例において、陰茎包皮環状切除用装置における外側リングのＡ部分の第四種の構造を拡大的に示す図である。
【図２７】本発明の他の実施例において、陰茎包皮環状切除用装置のＭ−Ｍ断面の上部、下部のシングル刃結合部の構造を示す図である。
【図２８】本発明の他の実施例において、陰茎包皮環状切除用装置のＭ−Ｍ断面の上部、下部のダブル刃結合部の構造を示す図である。
【図２９】本発明の第三実施例において、陰茎包皮環状切除用装置における外側リングの構造を示す図である。
【図３０】図２９において、Ａ部分の断面構造の拡大図である。
【図３１】本発明の実施例において、陰茎包皮環状切除用装置における一体化の柔軟性外側リングの構造を示す図である。
【発明を実施するための形態】
【００２７】
以下、図面及び実施例を用いて、本発明の実施の形態をさらに詳細に説明する。下記実施例により本発明を説明するが、これらの実施例に限定されるものではない。
【００２８】
図１、図８、図９に示すように、本発明に係る陰茎包皮環状切除用装置は、包皮組織と包皮の血管とをきつく押圧するために用いられる上部ケーシングパイプ１と、下部ケーシングパイプ２と、前記上部ケーシングパイプ１及び前記下部ケーシングパイプ２を接続するための接続板３とを有する内側切削リングＩを備え、前記上部ケーシングパイプ１の上端表面において、形状が凹凸繰り返しのパターン１１状（図１を参照）、又は断面が∧形となる歯１２ａ（図９を参照）、又は断面がＭ形となる歯１２ｂ（図８を参照）である端表面歯１２を均一に分散していて、形状の異なる前記歯が上部ケーシングパイプ１を押し圧着するために用いられ、前記内側切削リングＩは一体化構造でもよく、複数の部分でスプライスし得られてもよい。前記内側切削リングＩにおける上部ケーシングパイプ１と下部ケーシングパイプ２との壁部に軸方向において、さらに引き裂かれやすいラチェット２７を配設している。
【００２９】
前記陰茎包皮環状切除用装置は、冗長包皮切除のために用いられる且つ壁部に螺旋状溝１４を設置した切削ケーシングパイプ２４と、切削ケーシングパイプ２４の下端に配設されたパイプ足２５と、パイプ足２５に接続したターンボタン２６とを有する昇降可能な管状切削用ナイフIIをさらに備える。
【００３０】
前記陰茎包皮環状切除用装置は、上部スリーブ５と、前記上部スリーブ５の上端に配設された、内側切削リングＩの上部ケーシングパイプ１と協力し包皮をきつく押圧するための上部環状ブロック片６と、接続リングとを接続するための下部スリーブ７と、上部スリーブ５及び下部スリーブ７を接続するための接続ロッド８とを有する外側切削リングIII をさらに備える。
【００３１】
前記陰茎包皮環状切除用装置は、外側切削リングIII に接続し、内側切削リングＩをきつく押圧するためのケーシングパイプ９と、前記ケーシングパイプ９の下端に配設された下部環状ブロック片１０とを有する接続リングIVをさらに備える。
【００３２】
前記陰茎包皮環状切除用装置は、前記内側切削リングＩの前記接続板３の内側に配設された取り外し可能な抗勃起板Ｖ（図６を参照）をさらに備える。
【００３３】
図１〜図１２に示すように、内側切削リングＩにおける上部ケーシングパイプ１の上端表面と外側切削リングIII における上部環状ブロック片６の内側とをきつく圧着し、内側切削リングＩにおける下部ケーシングパイプ３の下部端表面と接続リングIVにおける下部環状ブロック片１０の内側とをきつく圧着するように、内側切削リングＩを外側切削リングIII の内側にスリーブする。昇降可能な管状切削用ナイフIIを内側切削リングＩと外側切削リングIII との間に配設して、昇降可能な管状切削用ナイフIIの下部におけるパイプ足２５が、接続リングIVにおける下部環状ブロック片１０のアーチ形溝１６を貫通した後、昇降可能な管状切削用ナイフIIにおけるターンボタン２６に接続される。中でも、外側切削リングIII における下部スリーブ７と接続リングIVにおけるケーシングパイプ９とを取り外し可能で接続する。図１、図３、図４、図５、図６、図１０、図１１及び図１２に示す。
【００３４】
本発明において、内側切削リングＩにおける上部ケーシングパイプ１の端表面において形状が凹凸繰り返しのパターン１１、又は断面が∧形となる歯１２ａ、又は断面がＭ形となる歯１２ｂである端表面歯１２を均一に分散する。長すぎる包皮の根部の皮膚をきつく押圧し血液循環を阻止するために、端表面歯１２、又は断面が∧形となる歯１２ａ、又は断面がＭ形となる歯１２ｂと、外側切削リングIII における上部環状ブロック片６の内側、又はその内側に取り付けられたゴムのガスケット４とをきつく圧着して噛み合わせる。
【００３５】
本発明において、内側切削リングＩにおける接続板３の外表面に凸バックル１３を配設する。昇降可能な管状切削用ナイフIIを昇降できるために、凸バックル１３を昇降可能な管状切削用ナイフIIの切削ケーシングパイプ２４の壁における螺旋状溝１４に噛み合わせる。
【００３６】
本発明の陰茎包皮環状切除用装置を夜間に使用する場合、通常に、抗勃起板Ｖを内側切削リングＩの接続板３の内側に挿入する。抗勃起板Ｖにおいて、陰茎外皮を刺激して陰茎勃起を避けるための凸点が設置されている。
【００３７】
本発明において、包皮の切除厚さ、及びきつく押圧された場合の厚さを正確にコントロールするために、外側切削リングIII における接続ロッド８の外表面、又は外側切削リングIII における下部スリーブ７の外側壁に、きつく押圧された場合の厚さの目盛り定規１７を配設して、それに、接続リングIVにおけるケーシングパイプ９に、周方向に沿って包皮の切除厚さの目盛り定規１５を配設している。
【００３８】
図３及び図４に示すように、本発明は、昇降可能な管状切削用ナイフIIの切削ケーシングパイプ２４の一端を鋭角刃２１又は鋸歯状刃２１ａに設定し、鋭角刃２１又は鋸歯状刃２１ａの一端と外側切削リング（圧着部品）III における上部スリーブ６の内側とで包皮を圧着して切除する又は圧着しないで原点に戻ることが可能で、又は鋭角刃２１又は鋸歯状刃２１ａの一端と圧着部品における上部環状ブロック片６内のゴムのガスケット４とで包皮を圧着して切除する又は圧着しないで原点に戻ることが可能である。
【００３９】
本発明の昇降可能な管状切削用ナイフIIの切削ケーシングパイプ２４の内径は、内側切削リングＩにおける上部ケーシングパイプ１及び下部ケーシングパイプ２の外径と同じである。
【００４０】
本発明の外側切削リング（圧着部品）III と接続リングIVとの間をねじ２２で接続してもよい。
【００４１】
本発明において、内側切削リングＩの上部ケーシングパイプ１、下部ケーシングパイプ２及び接続板３と、外側切削リングIII の上部スリーブ５、下部スリーブ７及び接続ロッド８との間に、包皮を収容する隙間２３を空けるべきである。
【００４２】
図７、図１１に示すように、上記実施例とは異なり、本実施例は内側切削リングＩの上部ケーシングパイプ１と前記下部ケーシングパイプ２とを、取り外し可能なケーシングパイプ１８に製造する。取り外し可能なケーシングパイプ１８は、ケーシングパイプを４本のアーチ形板１９に分解し、４本のアーチ形板１９がバックル２０だけで円形的な取り外し可能なケーシングパイプ１８にスプライスでき、前記内側切削リングＩの前記上部ケーシングパイプ２と前記下部ケーシングパイプ３との壁部に軸方向に引き裂かれやすいラチェット２７を設けられる。
【００４３】
本実施例が上記実施例と異なるのは、圧着部品の外壁部に配設された係合バックルを前記接続リングに配設されたスロットに係り止め、即ち係り止める方式で接続するということである。
【００４４】
本実施例が上記実施例と異なるのは、それぞれ外側切削リングIII と接続リングIVに配設されたラチェットとをねじで互いに噛み合い接続させ、接続リングIVに配設されたラチェットが引き裂かれやすいラチェットであるということである。前記裂かれやすいラチェットは切除用装置が繰り返し使用されるので病気を伝染するのを防止するために配設されたものであり、このように切除用装置がディスポーザブル製品となる。
【００４５】
使用する場合、まず、内側切削リングＩ、昇降可能な管状切削用ナイフII及び接続リングIVを陰茎の外にスリーブした後、長すぎる包皮を裏返して内側切削リングＩの上部ケーシングパイプ１の外側に被せて、さらに外側切削リングIII と内側切削リングＩとをねじ又は係合バックルで接続する。その時に、内側切削リングＩの上部ケーシングパイプ１の端表面歯１２における端表面パターン１１、又は断面が∧形となる歯１２ａ、又は断面がＭ形となる歯１２ｂと、外側切削リングIII における上部環状ブロック片６の内側、又はその内側に取り付けられたゴムのガスケット４とを用いて、長すぎる包皮の根部に対してゆっくり加圧し、きつく押圧された包皮の血液循環を徐々に阻止する。最後に、昇降可能な管状切削用ナイフIIの下端におけるターンボタン２６を回転して、切削ケーシングパイプ２４における螺旋状溝１４と内側切削リングＩにおける接続板の外壁部に設置された凸バックル１３との共同作動により、切削ケーシングパイプ２４がケーシングパイプ壁部における螺旋状溝１４に沿って上昇し、壊死した包皮が切削ケーシングパイプ２４の端部における鋭角刃２１又は鋸歯状刃２１ａにより切除された後、昇降可能な管状切削用ナイフIIの下端におけるターンボタン２６を逆方向に向かって回転させて、切削ケーシングパイプ２４を元の位置に戻す。以上で包皮切除の過程を達成する。
【００４６】
若しくは、長すぎる包皮の根部がきつく押圧された後で数日を経て、傷口が癒合すると、きつく押圧された包皮がだんだん壊死していく。壊死した包皮が自動的に脱落した後、昇降可能な管状切削用ナイフIIなどを完全に取り外す。長すぎる包皮に対しての昇降可能な管状切削用ナイフIIによる切除中又は切除後、及び傷口癒合期間内、陰茎の充血・勃起による包皮に対する引伸を避けるために、陰茎外皮と内側切削リングにおける上部ケーシングパイプ１、下部ケーシングパイプ２及び接続板３の内側との間に抗勃起Ｖを挿入する必要がある。抗勃起板Ｖにおいて、陰茎外皮を刺激して陰茎勃起を避けるための凸点を設置している。同時に、切除対象包皮に対してその切除厚さをコントロールできるように、外側切削リングIII の接続ロッド８の外側と接続リングIVのケーシングパイプ９の外側とにそれぞれ目盛りを設置している。
【００４７】
以下、図１３〜図２０を参照して、本発明の別の実施例をさらに詳細に説明する。
【００４８】
陰茎包皮環状切除用装置は、患者の陰茎の外に被せる管状内側リング２８を備え、長すぎる包皮を裏返して管状内側リング２８の外壁に被せて、管状外側リング２９を前記管状内側リング２８の外壁に被せて、前記管状内側リング２８と管状外側リング２９との間に、切除された包皮を収容する可能な腔３０を設置している。前記管状外側リング２９は、互いに噛み合わせて接続された管状Ａ外側リング２９−１と管状Ｂ外側リング２９−２とを有するので、前記管状Ａ外側リング２９−１と管状Ｂ外側リング２９−２との端部にそれぞれブロックリング３１が配置されて、前記ブロックリング３１の内側にガスケット３２が配置されている。前記管状内側リング２８の一端が包皮環状切除端３３であり、前記包皮環状切除端３３の外側に凸部３４が配設され、前記凸部３４の下端に包皮固定用ベルトが配置され、Ａラチェット３７ＡとＢラチェット３７Ｂとによって前記管状Ａ外側リング２９−１及び管状Ｂ外側リング２９−２を噛み合わせて接続した後、前記管状内側リング２８の包皮環状切除端３３が前記管状Ａ外側リング２９−１の端部に配置されたブロックリング３１の内側のガスケット３２に協力して包皮を押圧し、前記管状内側リング２８の他端が前記Ｂ外側リング２９−２の端部に配置されたブロックリング３１の内側に協力して軸方向に管状内側リング２８を圧着する。
【００４９】
前記管状外側リング２９の側壁部又はブロックリング３１の端表面に少なくとも二つの薬又は洗浄剤を注入するための貫通孔３６を設置しており、また、前記管状外側リング２９の側壁部にＡ外側リング２９−１とＢ外側リング２９−２とを取り外すための複数の取り外し用孔３７を設置している。
【００５０】
前記管状外側リング２９の外壁部に滑り防止用の突出部３８、又はパターンが設置されている。
【００５１】
前記管状内側リング２８の包皮環状切除端３３の端部にいくつかの凸点３９が設置されている。又は、前記包皮環状切除端３３の端部にいくつかの鋸歯４０が設置されている。前記凸点３９又は鋸歯４０は包皮の環状切除端口を固定し、それを押圧する。鋸歯４０は、手術中、長すぎる包皮を固定し滑りを防止するために用いられて、手術後リングを取り外す際に、壊死した包皮を切除するために用いられる作用を果たす。凸点３９は組織液を引き流し、浮腫を軽減する作用を果たす。
【００５２】
前記管状内側リング２８の他端と前記管状Ｂ外側リング２９−２におけるブロックリング３１とを接続して一体化させ、この一体化構造と前記管状Ａ外側リング２９−１とを接続し、包皮を押圧して下げる。
【００５３】
前記包皮環状切除端３３の外側における凸部３４の表面を錐形面４１のように設定し、前記錐形面４１の低端と前記管状内側リング２８の外壁とを直角４２とする。前記直角４２が包皮をベルト３５で管状内側リング２８の外側に固定するために用いられて、前記錐形面４１がＡ外側リング２９−１の内表面とブロックリング３１の内表面との間における錐形面又はアーチ面に設置された定位突出部４３に協力するために用いられている。管状内側リング２８上での包皮環状切除端３３の位置を確定することを目的として該定位突出部４３を配置している。
【００５４】
前記凸部３４をいくつかの突出部に分解することができ、前記いくつかの突出部は管状内側リング２８の包皮環状切除端３３の外壁部の周辺に均一的に分散されている。
【００５５】
前記管状内側リング２８としては、スプライシングリングであってもよく、前記スプライシングリングが少なくとも二つの半円をスプライスして得られる。
【００５６】
前記管状外側リング２９が、両端を係合バックル又はねじで接続する二つの半円リングからなってもよい。
【００５７】
まず、Ｂ外側リング２９−２と管状内側リング２８とを陰茎の外に被せて管状内側リング２８の包皮環状切除端３３を亀頭の側に向かせ、次いで、長すぎる包皮を裏返して管状内側リング２８の外壁に被せて、包皮環状切除端３３の外側壁に凸部３４が配置されているので該凸部３４の下端と管状内側リング２８の外壁との間が直角４２となり、ベルトで管状内側リング２８の外壁に被せられた包皮を固定し、長すぎる包皮を管状内側リング２８と管状外側リング２９との間に収容させ、最後に、Ａ外側リング２９−１とＢ外側リング２９−２とを噛み合わせて接続するというような作業方法によって本発明の陰茎包皮環状切除用装置を操作することができる。その中に、Ａ外側リング２９−１とＢ外側リング２９−２とを接続する端部にブロックリング３１が配置されており、Ａ外側リング２９−１の一側に配置されたブロックリング３１の内側にガスケット３２が配置されている。ガスケット３２の厚さに管状内側リング２８の長さを加えると、殆どＡ外側リング２９−１のブロックリング３１の内側からＢ外側リング２９−２のブロックリング３１の内側までの距離に相当する。Ａ外側リング２９−１とＢ外側リング２９−２とを噛み合わせて接続する場合、Ａ外側リング２９−１のブロックリング３１の内側に配置されたガスケット３２と管状内側リング２８の包皮環状切除端３３とを配合し、包皮の環状切除口を押圧することによって、血液を阻止し押圧された以下の長すぎる包皮を壊死させ、手術後の５〜７日に壊死した包皮が自動的に落ちる。上記の手術から、該陰茎包皮環状切除用装置は作業が簡単で、そして、プラスチック又はステンレスで製造されているので、体積が小さく、重量が軽く、構造が簡単、コストが低い等の長所を有する。従って、ディスポーザブル製品として製造することができる。また、管状外側リング２９の側壁またはブロックリング３１にすくなくとも二つの貫通孔３６が配置されているので、該貫通孔３６により前記の腔３０に鎮痛剤、抗炎症薬又は洗浄液を注入することで、患者の痛みを和め、傷口癒合を促進することができる。
【００５８】
本発明の別の実施形態において、異なる患者の需要に応じて、陰茎包皮環状切除用装置をスプライスする管状内側リング２８とスプライスする管状外側リング２９、又は柔軟性スナップ管状外側リング２９とを備える装置に構成してもいい。その中に、スプライスする内側リングとして、弾性ガスケットでいくつかの内側リングを陰茎に固定し、スプライスする外側リングとして、一般的にヒンジで接続する一端と係合バックル又はねじで接続する反対端とを有する二つの半円からなったもので、柔軟性スナップ管状外側リング２９として、係合バックル又はねじで接続することができる。
【００５９】
以下、図２１〜図３１を参照して、本発明の別の実施例をさらに詳細に説明する。
【００６０】
図２１〜図２３のように、切除及びクランプするための外側リング４４と、包皮収容のために用いられた一体リングや二つの半円リング、又は二つ以上のアーチ形断片とからなる内側リング４５とを備え、前記内側リング４５の外表面において、弾性ガスケット４８を表面に取り付けている凹溝４６を少なくとも一つ設置し、前記外側ルング４４の内側において、いくつかの鋸歯又は凸点４９を周縁に均一に分散している刃物７８を少なくとも一つ設置し、前記刃物７８と前記凹溝４６とが協力して、包皮を押圧する及び／又は切除するために用いられ、前記外側リング４４の側壁部において、前記外側リング４４と内側リング４５との間における腔と接続されて薬を注入するための通路５２を設置する陰茎包皮環状切除用装置である。
【００６１】
この陰茎包皮環状切除用装置は内側リング４５と、その外側に配設されている外側リング４４とを備えて、内側リング４５及び外側リング４４の製造素材は高級３７２型の無副作用の有機材料である。
【００６２】
前記外側リング４４は二つの半円スナップリング４４−Ａと４４−Ｂとからなるか、又は一体化の柔軟性スナップリングである。半円又は一体化の柔軟性スナップリングの両端部において、接続バックル５３を配設して、他の端部において、固定用部品７５及びロック解除用孔７６を配設している。もちろん、外側リング４４も口であれば一体化構造でもよい、その口が固定用部品７５で接続される。この固定用部品７５は固定用のねじ８２又は他の接続方式であり、下記例で本実施例を説明する。
【００６３】
図２４は本発明の実施例において、陰茎包皮環状切除用装置における外側リング４４のＫ−Ｋ断面の構造を示す図である。
【００６４】
図２５は本発明の実施例において、陰茎包皮環状切除用装置における内側リング４５のＬ−Ｌ断面の構造を示す図である。図のように、本発明は、前記二つの半円スナップリング又は一体化の柔軟性スナップリングからなる外側リング４４において、係合リング４９、５０を二個設置して、前記内側リング４５において、前記係合リング４９、５０に対応する凹溝４６を設置し、前記凹溝４６の間に凸リング５１を設置して、前記内側リング４５が互いに分離された、結合部に丸い角を設置している左右半セットのリングからなることを特徴とする。内側リング４５と外側リング４４とが互いに協力して、被切除の包皮がきつく押圧され、血流を阻止して壊死させる。包皮を切除する場合に炎症を避けることができないので、薬で協力して治療する必要があって、炎症排除や肌成長などに用いられる。前記腔に収容されている薬は、炎症部分に滲んで、炎症を排除したり肌を成長したりして、手術癒合にかかる時間がさらに短くなる。これらの薬は陰茎包皮環状切除手術に対応して、わざと配合することであって、本出願に関係しなくて、さらに説明しない。
【００６５】
従来の外側リング４４の接続部品はきつく噛み合わせる作業が非常に不便であるので、手術しようとする患者にとって極めて苦しいため、患者が手術に対する恐怖感を大きくして、手術時間を長くする。以下、幾つかの接続構造を説明する。
【００６６】
図２６Ａは本発明の実施例において、陰茎包皮環状切除用装置における外側リング４４のＡ部分の第一種の構造を拡大的に示す図である。前記外側リング４４は二つの半円スナップリング４４−Ａ、４４−Ｂと接続バックル５３とを備えて、該二つの半円スナップリング４４−Ａ、４４−Ｂの一端は接続バックル５３によって接続されて、該二つの半円スナップリング４４−Ａ、４４−Ｂの他端は互いに係り合ったＬ形部５４、５５をそれぞれ配設している。そのＬ形部５４、５５の上部に接続ロッド５６を、底部台に接続孔５７を設置し、互いに相応する。前記Ｌ形部の直立部の内側に鋸歯状凸部５８又は鋸歯状凹部５９を設置しており、前記鋸歯状凸部５８又は鋸歯状凹部５９が他方の半円スナップリングの他端におけるＬ形部の直立部の内側に設置された鋸歯状凹部５８又は鋸歯状凸部５９と互いに相応している。このように、二つの半円スナップリング４４−Ａと４４−Ｂとを係り合わせて接続する必要がある場合には、接続ロッド５６を接続孔５７に挿し入れると同時に、鋸歯状凸部５８と他のＬ形部に配設された鋸歯状凹部５９とを互いに噛み合わせるだけで、外側リング４４を全体に係り合わせて固定させる。もちろん、接続を開く必要がある場合には、ねじ回し又は他の道具をＬ形部に設置された孔６０に挿し入れて、少々の力で全体の構造を破壊でき、本実施例を開くことができる（本実施例はディスポーザブルの陰茎包皮環状切除用装置であるため）。
【００６７】
図２６Ｂは本発明の実施例において、陰茎包皮環状切除用装置における外側リング４４のＡ部分の第二種の構造を拡大的に示す図である。前記外側リング４４は二つの半円スナップリング４４−Ａ、４４−Ｂと接続バックル５３とを備えて、該二つの半円スナップリング４４−Ａ、４４−Ｂの一端は接続バックル５３によって接続されて、該二つの半円スナップリング４４−Ａ、４４−Ｂの他端は接続板６３と逆Ｖ形構造の係合片６４とからなるフック状凸部６１、溝孔６２をそれぞれ配設して、前記フック状凸部６１又は溝孔６２が他方の半円スナップリングにおける溝孔６２又はフック状凸部６１と互いに相応する。前記接続板６３の一端が前記半円スナップリング４４−Ａの端部に接続し、前記接続板６３の他端が前記係合片６４の中央部に接続する。その係合片６４は薄い鋼片のような一定の弾性とともに一定の硬さを有する構造である。溝孔６２の穴口の孔径は比較的大きいので、内部の腔の容積も比較的大きい。前記半円スナップリング４４−Ａの端部において、図２６Ａにおける孔６０と同じ作用の孔６５を設置している。係り合わせて固定する場合には、フック状凸部６１を溝孔６２に挿し入れて、このとき、係合片６４の特性である弾性が作用を発揮するが、係合片６４を係り合わせて固定した後、この係合片６４の硬さが係合片６４を溝孔６２の内部の壁に立てかけさせて、係り合わせて固定させる。
【００６８】
図２６Ｃは本発明の実施例において、陰茎包皮環状切除用装置における外側リング４４のＡ部分の第三種の構造を拡大的に示す図である。図２３、図２６Ｃを参照して、前記外側リング４４は二つの半円スナップリング４４−Ａ、４４−Ｂと接続バックル５３とを備えて、該二つの半円スナップリング４４−Ａ、４４−Ｂの一端は接続バックル５３によって接続されて、該二つの半円スナップリング４４−Ａ、４４−Ｂの他端は蝶ネクタイ状かたまり６７が収容される凹溝６６をそれぞれ設置している。前記半円スナップリング４４−Ａの端部において、前記孔６０、溝孔６２と同じ作用の孔６８を設置している。係り合わせて固定する場合には、蝶ネクタイ状かたまり６７の両端を凹溝６６にそれぞれ挿し入れる。
【００６９】
図２６Ｄは本発明の実施例において、陰茎包皮環状切除用装置における外側リング４４のＡ部分の第四種の構造を拡大的に示す図である。図２３、図２６Ｄを参照して、前記外側リング４４は二つの半円スナップリング４４−Ａ、４４−Ｂと接続バックル５３とを備えて、該二つの半円スナップリング４４−Ａ、４４−Ｂの一端は接続バックル５３によって接続されて、前記二つの半円スナップリング４４−Ａ、４４−Ｂの他端において、条形鋸歯体６９又は条形鋸歯孔７０をそれぞれ設置している。図における条形鋸歯体６９の細部を拡大的に示す図から見ると、条形鋸歯体６９においては、横方向の細い横条凸部が多くて、条形鋸歯孔７０における横方向の細い横条溝に噛み合わせることに用いられる。その条形鋸歯体６９を条形鋸歯孔７０に挿し入れる場合には、該条形鋸歯体６９の細い横条凸部と条形鋸歯孔７０の細い横条溝とをきっちり噛み合わせて固定する。注意することは、この挿し入れは一方向であるため、該条形鋸歯体６９の細い横条凸部と該条形鋸歯孔７０の細い横条溝との両方がいずれも、挿し入れの方向に対して鈍角になる傾斜方向である。両方が係り合わせて固定されると、一般的に、条形鋸歯体６９を条形鋸歯孔７０から簡単に取り出すことはできなく、このようにしっかり係り合わせることを確保して、本発明がさらにしっかりして安定し、優れた作業性がある。もちろん、手術し終わった後どのようにして取り外すかについては、本実施例は前記接続破壊用の孔７１を使用して、接続を開く必要があれば、ねじ回し又は他の道具を孔７１に挿し入れて、少々の力で全体の構造を破壊でき、本実施例を開くことができる。
【００７０】
図３１は本発明の実施例において、柔軟性外側リングが一体化の柔軟性スナップリング７７である構造を示す図である。前記柔軟性スナップリング７７の両端に互いに対応する刃結合部を設置し、前記刃結合部が２層であり、前記２層刃の間において、前記２層刃に垂直となるいくつかの刃物７９を設置している。前記刃結合部には第１梯形係合バックル７３と、第２梯形係合バックル７４と、ロック解除用柄８０と、ロック解除用孔８１と、目盛り定規８８と、デジタル定規８４と、アラーム８５とを配設している。
【００７１】
図２７〜図３０は本発明の第三実施例において、陰茎包皮環状切除用装置における外側リング４４の構造を示す図である。前記外側リング４４がスナップリングを備えており、前記スナップリングの両端に互いに対応する上半部刃結合部７２Ａと下半部刃結合部７２Ｂとを設置し、前記上半部刃結合部７２Ａが設置された前記スナップリングの一端に第１梯形係合バックル７３を配設し、下半部刃結合部７２Ｂが設置された前記スナップリングの一端に第２梯形係合バックル７４を配設しており、前記第１梯形係合バックル７３と前記第２梯形係合バックル７４とを互いに係り合わせる。断面から見ると、前記第１梯形係合バックル７３が上半部刃結合部７２Ａの下表面に位置されて、前記第２梯形係合バックル７４が下半部刃結合部７２Ｂの上表面に位置されている。使用する場合には、下半部刃結合部７２Ｂを上半部刃結合部７２Ａの下に挿し入れて、第２梯形係合バックル７４は第１梯形係合バックル７３の上に位置して係り合わせて、第１梯形係合バックル７３が上半部刃結合部７２Ａ及び下半部刃結合部７２Ｂの制限作用により第２梯形係合バックル７４にきつく結び合わされて、外側リング４４を全体にきつく係り合わせて固定する効果を達成できる。第１梯形係合バックル７３又は第２梯形係合バックル７４においては、孔６５を設置して、接続を開く必要があれば、ねじ回し又は他の道具を孔６５に挿し入れて、少々の力で全体の構造を破壊でき、本実施例を開くことができる。
【００７２】
以上には、様々な異なる接続構造を説明して、次に、本発明の作業工程をそれぞれさらに説明する。
１．生殖器官を滅菌処置して、亀頭を覆う包皮を翻転することによって包皮を完全に露出する工程と、
２．内側リングの位置を調節し、翻転包皮を内側リング及び亀頭を完全に覆うまで引き出す工程と、
３．外側リングを開き、患者の一側から装着し、外側リングを前記内側リングを包み固定させてから、該外側リングを固定して、このようにすると、包皮への血液循環が阻止され、その壊死が誘発される工程と、
４．薬注入用の通路を通じて、腔に薬液を注入することとし、薬液は、腔を経由して直接患部に達することが可能であり、このようにして、炎症は低減され、痛みは抑えられる工程と、
５．２〜５日後（場合によってはそれ以上）、壊死包皮を取り除き、同時に、又はその後で、外側リングを弛める工程とを含む。
【００７３】
外側リングと内側リングとの間に、ゴムのガスケットを加えれば、包皮を取り除く際に引き起こした圧迫力を小さくすることができる。
【００７４】
従来の包皮環状切除用装置の内側リングは一体化のリング状構造であって、内側リングの固定した直径の構造が患者の不快感を増す。本発明の陰茎包皮環状切除用装置の他の実施例の組み立て構造を示す図である。該本発明の他の実施例は単独の全体の内側リングの構造を、２段程度の半円スナップリング４５−１、４５−２を変化してなるため、陰茎を勃起で大きくなる場合に適応できる。これによって、押圧力を弛めることができる。
【００７５】
また、図２７及び図２８のように、本発明の第三実施例において、前記外側リング４４の一方の半円スナップリング４４−Ａに上半部刃結合部７２Ａを、他方の半円スナップリング４４−Ｂに上半部刃結合部７２Ａに対応する下半部刃結合部７２Ｂを設置し、上下半部の構造を利用し、外側リング４４をよく結び合せて、該刃結合部の周縁に丸い角を設置し、該丸い角の構造を利用し、手術中、包皮が挟まれるのを防ぎ、手術をさらに順調とし、患者の痛みを避けることができる。包皮が挟みこまれると肉芽形成が起こるため、回復期間は長引き、患者の苦痛はより大きくなる。同様に、包皮が挟まれるのを予防するため、内側リング４５の左右の半円スナップリングの結合部は同じ又は類似の丸い角を設けてもよい。
【００７６】
本発明を使用場合は、全く痛みは無く、包皮の円形成形後、明白な傷跡形成は無く、精確な円形成形位置と速やかな回復とが得られる。児童、若者、及び老人全てが、この処置を受けることが可能であって、患者の実際の亀頭サイズに応じて様々なサイズの装置によって適用される。
【００７７】
さらに、治療の全過程を通じて、患者の仕事または勉強は影響されない。単純で、特別の訓練を必要としないので、この手術は、小さな診療所でも実施することが可能である。治療の全期間を通じてそのコストは、手術、抗炎症処置などを含め、僅かに１６０−２００元にすぎないので、一般大衆にも受け容れられる。
【００７８】
本発明の陰茎包皮環状切除用装置によれば、内側切削リングＩと外側切削リングIII が上部及び下部のみにケーシングパイプを設置し、中間に接続板３と接続ロッド８とで接続するため、本発明の陰茎包皮環状切除用装置の全体の重量を減少することができる。さらに、内側切削リングＩの上部ケーシングパイプ１における上端表面１１をパターン状に設計するため、従来のリング状端表面より患者に対する痛みを大きく軽減することができる。さらに、内側切削リングＩの接続板３の内に陰茎勃起防止用の抗勃起板Ｖを加えて、患者が陰茎勃起による傷口痛みを引き起こすことを効果的に防止できる。さらに、外側切削リングIII の接続ロッド８の外側に目盛り定規を配設するため、包皮の厚さにより外側切削リングIII と接続リングIVとの圧着力を調整し、及び昇降可能な管状切削用ナイフを外側切削リングIII と接続リングIVとの間に取り付ける場合に切除の厚さを調整することが有利である。さらに、内側切削リングＩの上部ケーシングパイプ１及び下部ケーシングパイプ２をスプライス式ケーシングパイプとして各々設計するため、異なる患者の状態に応じて、内側切削リングＩの内径を調整することができる。さらに、昇降可能な管状切削用ナイフIIが活動可能な切削用ナイフであるため、使用する場合に切削用ナイフを上昇して切除を行い、使用しない場合に切削用ナイフを戻すことができ、即ち、滑らかで便利な構造である。さらに、本発明の陰茎包皮環状切除用装置はディスポーザブル製品であるため、病気の伝染を避けることができる。本発明の陰茎包皮環状切除用装置は精巧な構造や軽い重量、使用便利、低いコストなどの長所を有するため、産業上利用可能性を有している。
【００７９】
以上は本発明の好ましい実施方式のみであるが、説明すべきことは、当業者にとって、本発明の技術要素を逸脱しなければ、いくつか改善・変化をすることができて、これらの改善・変化も本発明の保護範囲と見なすべきである。
【符号の説明】
【００８０】
Ｉ  内側切削リング
II  昇降可能な管状切削用ナイフ
III 外側切削リング
IV  接続リング
Ｖ  抗勃起板
１  上部ケーシングパイプ
２  下部ケーシングパイプ
３  接続板
４  ゴムのガスケット
５  上部スリーブ
６  上部環状ブロック片
６−１  凸点
７  下部スリーブ
８  接続ロッド
９  ケーシングパイプ
１０  下部環状ブロック片
１１  パターン
１２  端表面歯
１２ａ  ∧形歯
１２ｂ  Ｍ形歯
１３  凸バックル
１４  螺旋状溝
１５  目盛り定規
１６  アーチ形溝
１７  目盛り定規
１７−１  デジタル定規
１７−２  アラーム
１８  取り外し可能なケーシングパイプ
１９  アーチ形板
２０  バックル
２１  鋭角刃
２１ａ  鋸歯状刃
２２  ねじ
２３  隙間
２４  切削ケーシングパイプ
２５  パイプ足
２６  ターンボタン
２７  引き裂かれやすいラチェット
２８  管状内側リング
２９  管状外側リング
２９−１  Ａ外側リング
２９−２  Ｂ外側リング
３０  腔
３１  ブロックリング
３２  ガスケット
３３  包皮環状切除端
３４  凸部
３５  ベルト
３６  貫通孔
３７  取り外し用孔
３７Ａ  Ａラチェット
３７Ｂ  Ｂラチェット
３８  突出部
３９  凸点
４０  鋸歯
４１  錐形面
４２  直角
４３  定位突出部
４４  外側リング
４４−Ａ、４４−Ｂ  左右の二つの半円部品
４５  内側リング
４６  凹溝
４７  弾性ガスケット
４８  鋸歯又は凸点
４９、５０  係合リング
５１  凸リング
５２  通路
５３  接続バックル
５４  Ｌ形部
５５  Ｌ形部
５６  接続ロッド
５７  接続孔
５８  鋸歯状凸部
５９  鋸歯状凹部
６０  孔
６１  フック状凸部
６２  溝孔
６３  接続板
６４  係合片
６５  孔
６６  凹形槽
６７  蝶ネクタイ状かたまり
６８  孔
６９  条形鋸歯体
７０  条形鋸歯孔
７１  孔
７２  刃結合部
７２Ａ  上半部刃結合部
７２Ｂ  下半部刃結合部
７３  第１梯形係合バックル
７４  第２梯形係合バックル
７５  固定用部品
７６  ロック解除用孔
７７  一体化の柔軟性スナップリング
７８  刃物（２層刃）
７９  切除用刃物
８０  ロック解除用柄
８１  ロック解除用孔
８２  ねじ
８３  目盛り定規
８４  デジタル定規
８５  アラーム
【図１】
2014176723.tif 000003
【図２】
2014176723.tif 000004
【図３】
2014176723.tif 000005
【図４】
2014176723.tif 000006
【図５】
2014176723.tif 000007
【図６】
2014176723.tif 000008
【図６Ａ】
2014176723.tif 000009
【図７】
2014176723.tif 000010
【図８】
2014176723.tif 000011
【図９】
2014176723.tif 000012
【図１０】
2014176723.tif 000013
【図１１】
2014176723.tif 000014
【図１２】
2014176723.tif 000015
【図１３】
2014176723.tif 000016
【図１４】
2014176723.tif 000017
【図１５】
2014176723.tif 000018
【図１６】
2014176723.tif 000019
【図１７】
2014176723.tif 000020
【図１８】
2014176723.tif 000021
【図１９】
2014176723.tif 000022
【図２０】
2014176723.tif 000023
【図２１】
2014176723.tif 000024
【図２２−１】
2014176723.tif 000025
【図２２−２】
2014176723.tif 000026
【図２３】
2014176723.tif 000027
【図２４】
2014176723.tif 000028
【図２５】
2014176723.tif 000029
【図２６Ａ】
2014176723.tif 000030
【図２６Ｂ】
2014176723.tif 000031
【図２６Ｃ】
2014176723.tif 000032
【図２６Ｄ】
2014176723.tif 000033
【図２７】
2014176723.tif 000034
【図２８】
2014176723.tif 000035
【図２９】
2014176723.tif 000036
【図３０】
2014176723.tif 000037
【図３１】
2014176723.tif 000038